(57)【要約】    【課題】      回線上のインパルス応答がパイロットトーンに与える影響を低減し、データ通信を確実に行うこと。    【解決手段】  データ通信前に交換される特定信号に基づいて通信回線上のインパルス応答のうちサイクリックプレフィクスの長さを越える部分のエネルギＥ１を算出し（ＳＴ７０５）、このサイクリックプレフィクスの長さを越える部分のエネルギＥ１に応じてパイロットトーンとして利用されるサブキャリアに隣接するサブキャリアのうち送信電力をオフするサブキャリアの本数を選択し（ＳＴ７１０等）、この送信電力をオフするサブキャリアの本数を相手側ＡＤＳＬモデム装置に通知し（ＳＴ７１２等）、この送信電力をオフする本数のサブキャリアを除くサブキャリアを用いて相手側ＡＤＳＬモデム装置との間のデータ通信を行う（ＳＴ７０９）。  【選択図】      図７
2006203455.tif 000002
【特許請求の範囲】
【請求項１】
データ通信前に交換される特定信号に基づいて通信回線上のインパルス応答のうちサイクリックプレフィクスの長さを越える部分のエネルギを算出する算出手段と、前記サイクリックプレフィクスの長さを越える部分のエネルギに応じてパイロットトーンとして利用されるサブキャリアに隣接するサブキャリアのうち送信電力をオフするサブキャリアの本数を選択する選択手段と、前記送信電力をオフするサブキャリアの本数を相手側ＡＤＳＬモデム装置に通知する通知手段と、前記選択手段により選択された送信電力をオフする本数のサブキャリアを除くサブキャリアを用いて相手側ＡＤＳＬモデム装置との間のデータ通信を行う通信手段と、を具備することを特徴とするＡＤＳＬモデム装置。
【請求項２】
前記算出手段は、前記インパルス応答のうちサイクリックプレフィクスの後端の時点から一定時間経過した時点までのエネルギ量を求めることで前記サイクリックプレフィクスの長さを越える部分のエネルギを算出することを特徴とする請求項１記載のＡＤＳＬモデム装置。
【請求項３】
前記選択手段は、前記サイクリックプレフィクスの長さを越える部分のエネルギと、前記パイロットトーンとして利用されるサブキャリアのエネルギとの比較結果に基づいて前記送信電力をオフするサブキャリアの本数を決定することを特徴とする請求項１記載のＡＤＳＬモデム装置。
【請求項４】
前記選択手段は、前記サイクリックプレフィクスの長さを越える部分のエネルギが、前記パイロットトーンとして利用されるサブキャリアのエネルギの一定値よりも大きい場合に前記送信電力をオフするサブキャリアの本数を増加させる一方、前記パイロットトーンとして利用されるサブキャリアのエネルギの一定値よりも小さい場合に前記送信電力をオフするサブキャリアの本数を減少させることを特徴とする請求項３記載のＡＤＳＬモデム装置。
【請求項５】
前記特定信号は、ＲＥＶＥＲＢ信号であることを特徴とする請求項１記載のＡＤＳＬモデム装置。
【請求項６】
データ通信前に交換される特定信号に基づいて算出された通信回線上のインパルス応答のうちサイクリックプレフィクスの長さを越える部分のエネルギに応じて選択された送信電力をオフするサブキャリアの本数の通知を相手側ＡＤＳＬモデム装置から受ける受信手段と、前記受信手段で通知を受けた送信電力をオフする本数のサブキャリアを除くサブキャリアを用いて前記相手側ＡＤＳＬモデム装置との間のデータ通信を行う通信手段と、を具備することを特徴とするＡＤＳＬモデム装置。
【請求項７】
データ通信前に交換される特定信号に基づいて通信回線上のインパルス応答のうちサイクリックプレフィクスの長さを越える部分のエネルギを算出し、前記サイクリックプレフィクスの長さを越える部分のエネルギに応じてパイロットトーンとして利用されるサブキャリアに隣接するサブキャリアのうち送信電力をオフするサブキャリアの本数を選択し、前記送信電力をオフするサブキャリアの本数を相手側ＡＤＳＬモデム装置に通知し、相手側ＡＤＳＬモデム装置に通知した送信電力をオフする本数のサブキャリアを除くサブキャリアを用いて相手側ＡＤＳＬモデム装置との間のデータ通信を行うことを特徴とする通信制御方法。
【請求項８】
前記インパルス応答のうちサイクリックプレフィクスの後端の時点から一定時間経過した時点までのエネルギ量を求めることで前記サイクリックプレフィクスの長さを越える部分のエネルギを算出することを特徴とする請求項７記載の通信制御方法。
【請求項９】
前記サイクリックプレフィクスの長さを越える部分のエネルギと、前記パイロットトーンとして利用されるサブキャリアのエネルギとの比較結果に基づいて前記送信電力をオフするサブキャリアの本数を決定することを特徴とする請求項７記載の通信制御方法。
【請求項１０】
前記サイクリックプレフィクスの長さを越える部分のエネルギが、前記パイロットトーンとして利用されるサブキャリアのエネルギの一定値よりも大きい場合に前記送信電力をオフするサブキャリアの本数を増加させる一方、前記パイロットトーンとして利用されるサブキャリアのエネルギの一定値よりも小さい場合に前記送信電力をオフするサブキャリアの本数を減少させることを特徴とする請求項９記載の通信制御方法。
【請求項１１】
前記特定信号は、ＲＥＶＥＲＢ信号であることを特徴とする請求項７記載の通信制御方法。
【請求項１２】
データ通信前に交換される特定信号に基づいて算出された通信回線上のインパルス応答のうちサイクリックプレフィクスの長さを越える部分のエネルギに応じて選択された送信電力をオフするサブキャリアの本数の通知を相手側ＡＤＳＬモデム装置から受け、通知を受けた送信電力をオフする本数のサブキャリアを除くサブキャリアを用いて前記相手側ＡＤＳＬモデム装置との間のデータ通信を行うことを特徴とする通信制御方法。
【発明の詳細な説明】
【技術分野】
【０００１】
本発明は、ＡＤＳＬモデム装置及び通信制御方法に関する。
【背景技術】
【０００２】
近年、既存の電話回線を用いて高速のインターネット接続サービスと従来からの電話サービスとを同時に利用できるようにしたＡＤＳＬサービスが急速に普及している。かかるＡＤＳＬサービスでは、実際のデータ通信を開始する前に、Ｇ.ｌｉｔｅ又はＧ.ｄｍｔ勧告にしたがったイニシャライズシーケンスにおいてシンボル同期を確立する。そして、シンボル同期を確立した後は、通信データを構成するシンボルとシンボルとの間にサイクリックプレフィクス（以下、「ＣＰ（cyclic prefix）」という）を挿入し、シンボルの区切りを示すと共に回線上のインパルス応答の影響を吸収している。
【０００３】
なお、上記したＧ．ｄｍｔ勧告で採用されているＤＭＴ変調方式を用いるデータ通信において、回線状況等の要因により劣化し得る信号エネルギのゲインコントロールを適切に行うＡＤＳＬモデム装置が提案されている（例えば、特許文献１参照）。
【特許文献１】特開２００３−８５３６号公報
【発明の開示】
【発明が解決しようとする課題】
【０００４】
しかしながら、従来のＡＤＳＬサービスにおいてはＣＰの長さが固定されており、回線上のインパルス応答の影響を適切に吸収することができない場合がある。すなわち、一般に、ＣＰは３２個分のサンプリングデータの長さで構成される（一般に、１シンボルは５１２個分のサンプリングデータの長さで構成される）。しかし、回線上のインパルス応答の長さは、回線状態に応じて変動するものである。回線状態が良い場合にはそのインパルス応答の長さは短くなる一方、回線状態が悪い場合にはそのインパルス応答の長さは長くなる。
【０００５】
例えば、回線状態に応じてインパルス応答の長さが５０個分のサンプリングデータの長さに相当する場合がある。この場合にはＣＰの長さが回線上のインパルス応答の長さを下回っており、吸収できなかったインパルス応答が後続するシンボルのノイズとして現れる。この結果、データ通信におけるＳ／Ｎ比が低下し、伝送効率が低下するという問題が生じる。特に、このように発生したノイズがパイロットトーンに影響を与える場合には、送信側のＡＤＳＬモデム装置と受信側のＡＤＳＬモデム装置との同期を適切に取ることができず、データ通信自体が不能となるという問題が生じる。
【０００６】
本発明は、以上のような実情に鑑みてなされたもので、回線上のインパルス応答がパイロットトーンに与える影響を低減し、データ通信を確実に行うことができるＡＤＳＬモデム装置及び通信制御方法を提供することを目的とする。
【課題を解決するための手段】
【０００７】
本発明は、データ通信前に交換される特定信号に基づいて通信回線上のインパルス応答のうちサイクリックプレフィクスの長さを越える部分のエネルギを算出し、このサイクリックプレフィクスの長さを越える部分のエネルギに応じてパイロットトーンとして利用されるサブキャリアに隣接するサブキャリアのうち送信電力をオフするサブキャリアの本数を選択し、この送信電力をオフするサブキャリアの本数を相手側ＡＤＳＬモデム装置に通知し、相手側ＡＤＳＬモデム装置に通知した送信電力をオフする本数のサブキャリアを除くサブキャリアを用いて相手側ＡＤＳＬモデム装置との間のデータ通信を行うようにしたものである。
【発明の効果】
【０００８】
本発明によれば、回線上のインパルス応答がパイロットトーンに与える影響を低減し、データ通信を確実に行うことができる。
【発明を実施するための最良の形態】
【０００９】
本発明の第１の態様に係るＡＤＳＬモデム装置は、データ通信前に交換される特定信号に基づいて通信回線上のインパルス応答のうちサイクリックプレフィクスの長さを越える部分のエネルギを算出する算出手段と、前記サイクリックプレフィクスの長さを越える部分のエネルギに応じてパイロットトーンとして利用されるサブキャリアに隣接するサブキャリアのうち送信電力をオフするサブキャリアの本数を選択する選択手段と、前記送信電力をオフするサブキャリアの本数を相手側ＡＤＳＬモデム装置に通知する通知手段と、前記選択手段により選択された送信電力をオフする本数のサブキャリアを除くサブキャリアを用いて相手側ＡＤＳＬモデム装置との間のデータ通信を行う通信手段と、を具備する構成を採る。
【００１０】
この構成によれば、通信回線上のインパルス応答のサイクリックプレフィクスの長さを越える部分のエネルギの大きさに応じて送信電力をオフするサブキャリアの本数を決定して相手側ＡＤＳＬモデム装置との間のデータ通信が行われる。このため、回線上のインパルス応答の長さに応じてパイロットトーンに隣接するサブキャリアの送信電力がオフされるので、回線上のインパルス応答がパイロットトーンに与える影響を低減し、データ通信を確実に行うことができる。
【００１１】
本発明の第２の態様は、第１の態様に係るＡＤＳＬモデム装置において、前記算出手段は、前記インパルス応答のうちサイクリックプレフィクスの後端の時点から一定時間経過した時点までのエネルギ量を求めることで前記サイクリックプレフィクスの長さを越える部分のエネルギを算出する構成を採る。
【００１２】
この構成によれば、インパルス応答のうちサイクリックプレフィクスの後端の時点から一定時間経過した時点までのエネルギ量を求めることでサイクリックプレフィクスの長さを越える部分の大きさが算出される。したがって、インパルス応答の一定範囲のエネルギ量を求めるだけでサイクリックプレフィクスの長さを越える部分の大きさを算出することができる。
【００１３】
本発明の第３の態様は、第１の態様に係るＡＤＳＬモデム装置において、前記選択手段は、前記サイクリックプレフィクスの長さを越える部分のエネルギと、前記パイロットトーンとして利用されるサブキャリアのエネルギとの比較結果に基づいて前記送信電力をオフするサブキャリアの本数を決定する構成を採る。
【００１４】
この構成によれば、サイクリックプレフィクスの長さを越える部分のエネルギと、パイロットトーンとして利用されるサブキャリアのエネルギとの比較結果に基づいて送信電力をオフするサブキャリアの本数が決定される。このため、サイクリックプレフィクスの長さを越える部分のエネルギと、パイロットトーンとして利用されるサブキャリアのエネルギとの関係に応じて送信電力をオフするサブキャリアの本数を決定することができる。
【００１５】
本発明の第４の態様は、第３の態様に係るＡＤＳＬモデム装置において、前記選択手段は、前記サイクリックプレフィクスの長さを越える部分のエネルギが、前記パイロットトーンとして利用されるサブキャリアのエネルギの一定値よりも大きい場合に前記送信電力をオフするサブキャリアの本数を増加させる一方、前記パイロットトーンとして利用されるサブキャリアのエネルギの一定値よりも小さい場合に前記送信電力をオフするサブキャリアの本数を減少させる構成を採る。
【００１６】
この構成によれば、サイクリックプレフィクスの長さを越える部分のエネルギが、パイロットトーンとして利用されるサブキャリアのエネルギの一定値よりも大きい場合に送信電力をオフするサブキャリアの本数を増加させる一方、パイロットトーンとして利用されるサブキャリアのエネルギの一定値よりも小さい場合に送信電力をオフするサブキャリアの本数を減少させる。このため、サイクリックプレフィクスの長さを越える部分のエネルギに対応させて送信電力をオフするサブキャリアの本数を適切に増減することができる。
【００１７】
本発明の第５の態様は、第１の態様に係るＡＤＳＬモデム装置において、前記特定信号は、ＲＥＶＥＲＢ信号で構成される。
【００１８】
この構成によれば、イニシャライズ手順で繰り返し交換されるＲＥＶＥＲＢ信号を用いて、インパルス応答のサイクリックプレフィクスの長さを越える部分のエネルギに応じて送信電力をオフするサブキャリアの本数を決定することができる。
【００１９】
本発明の第６の態様に係るＡＤＳＬモデム装置は、データ通信前に交換される特定信号に基づいて算出された通信回線上のインパルス応答のうちサイクリックプレフィクスの長さを越える部分のエネルギに応じて選択された送信電力をオフするサブキャリアの本数の通知を相手側ＡＤＳＬモデム装置から受ける受信手段と、前記受信手段で通知を受けた送信電力をオフする本数のサブキャリアを除くサブキャリアを用いて前記相手側ＡＤＳＬモデム装置との間のデータ通信を行う通信手段と、を具備する構成を採る。
【００２０】
この構成によれば、相手側ＡＤＳＬモデム装置から通知された、通信回線上のインパルス応答のＣＰ長超越部分のエネルギの大きさに応じて送信電力をオフするサブキャリアの本数を決定して相手側ＡＤＳＬモデム装置との間のデータ通信を行う。このため、回線上のインパルス応答の長さに応じてパイロットトーンに隣接するサブキャリアのうち、送信電力をオフするサブキャリアが決定されるので、通信回線上のインパルス応答がパイロットトーンに与える影響を低減し、データ通信を確実に行うことができる。
【００２１】
本発明の第７の態様に係る通信制御方法は、データ通信前に交換される特定信号に基づいて通信回線上のインパルス応答のうちサイクリックプレフィクスの長さを越える部分のエネルギを算出し、前記サイクリックプレフィクスの長さを越える部分のエネルギに応じてパイロットトーンとして利用されるサブキャリアに隣接するサブキャリアのうち送信電力をオフするサブキャリアの本数を選択し、前記送信電力をオフするサブキャリアの本数を相手側ＡＤＳＬモデム装置に通知し、相手側ＡＤＳＬモデム装置に通知した送信電力をオフする本数のサブキャリアを除くサブキャリアを用いて相手側ＡＤＳＬモデム装置との間のデータ通信を行うものである。
【００２２】
本発明の第８の態様は、第７の態様に係る通信制御方法において、前記インパルス応答のうちサイクリックプレフィクスの後端の時点から一定時間経過した時点までのエネルギ量を求めることで前記サイクリックプレフィクスの長さを越える部分のエネルギを算出するものである。
【００２３】
本発明の第９の態様は、第７の態様に係る通信制御方法において、前記サイクリックプレフィクスの長さを越える部分のエネルギと、前記パイロットトーンとして利用されるサブキャリアのエネルギとの比較結果に基づいて前記送信電力をオフするサブキャリアの本数を決定するものである。
【００２４】
本発明の第１０の態様は、第９の態様に係る通信制御方法において、前記サイクリックプレフィクスの長さを越える部分のエネルギが、前記パイロットトーンとして利用されるサブキャリアのエネルギの一定値よりも大きい場合に前記送信電力をオフするサブキャリアの本数を増加させる一方、前記パイロットトーンとして利用されるサブキャリアのエネルギの一定値よりも小さい場合に前記送信電力をオフするサブキャリアの本数を減少させるものである。
【００２５】
本発明の第１１の態様は、第７の態様に係る通信制御方法において、前記特定信号は、ＲＥＶＥＲＢ信号で構成される。
【００２６】
本発明の第１２の態様に係る通信制御方法は、データ通信前に交換される特定信号に基づいて算出された通信回線上のインパルス応答のうちサイクリックプレフィクスの長さを越える部分のエネルギに応じて選択された送信電力をオフするサブキャリアの本数の通知を相手側ＡＤＳＬモデム装置から受け、通知を受けた送信電力をオフする本数のサブキャリアを除くサブキャリアを用いて前記相手側ＡＤＳＬモデム装置との間のデータ通信を行うものである。
【００２７】
以下、図面を参照して本発明の実施の形態について具体的に説明する。
【００２８】
図１は、本発明が適用される家庭内などに設置された端末装置（ＡＴＵ−Ｒ）側の通信システムの概略構成を示す図である。なお、交換局装置（ＡＴＵ−Ｃ）側の通信システムにおいても同様の構成を有するものとする。
【００２９】
同図に示す通信システムは、公衆回線網又はこれと同等の回線網（以下、「回線」という）がスプリッタ１を介してＡＤＳＬモデム装置２に接続され、さらにＡＤＳＬモデム装置２にユーザ端末３が接続されている。なお、ユーザ端末３と電話機４とを１回線で利用する場合にはスプリッタ１が必要となるが、電話機４を使用しない形態であればスプリッタ１は必要ない。また、ユーザ端末３がＡＤＳＬモデム装置２を内蔵するように構成することも可能である。
【００３０】
ＡＤＳＬモデム装置２は、ＡＤＳＬ通信を実行するトランシーバ１１と、このトランシーバ１１を含む全体の動作を制御するホスト１２とを備えている。トランシーバ１１の回線側端部はアナログフロントエンド（以下、「ＡＦＥ」という）を介してアナログ回路で構成されている。ＡＦＥ１３のＤＡ変換部に対してアナログフィルタ１４を介してドライバ１５が接続され、ドライバ１５で増幅されたアナログ信号がハイブリッド１６を介して回線へ送出されるように構成されている。また、回線から到来したアナログ信号はハイブリッド１６を介してレシーバ１７で受信されアナログフィルタ１８を介してＡＦＥ１３のＡＤ変換部に入力されるように構成されている。ＡＦＥ１３は、ＡＤ変換部から出力されるサンプリングデータをトランシーバ１１へ出力する。
【００３１】
図２は、ＡＤＳＬモデム装置２が有するトランシーバ１１の機能ブロック図である。プロセッサ２０は、ハンドシェイク手順、イニシャライズ手順を実行し、データ通信（ショータイム：Showtime）中の通信制御を実行する機能を備える部分である。
【００３２】
トランシーバ１１の送信側は、エラーチェックのための冗長ビットを付加するリードソロモン符号化部２１、リードソロモン復号時のバーストエラーに対する訂正を可能とするためデータの並べ替えを行うインターリーブ部２２、トレリス符号化によるデータの畳み込みを行うトレリス符号化部２３、各キャリアに対するビット数の割付けを行うトーンオーダリング部２４、送信データの位相をコンステレーション座標上に割り付けるコンステレーション符号化部２５、コンステレーション符号化されたデータを逆高速フーリエ変換（以下、「ＩＦＦＴ」という）するＩＦＦＴ部２６、ＩＦＦＴされた送信データにサイクリックプレフィクス（以下、「ＣＰ（cyclic prefix）」という）を付加するＣＰ付加部２７から構成されている。
【００３３】
トランシーバ１１の受信側は、受信信号に付加されたＣＰを除去するＣＰ除去部２８、受信信号のサンプリングデータを高速フーリエ変換（以下、「ＦＦＴ」という）するＦＦＴ部２９、ＦＦＴ出力信号のコンステレーションからデータを復号し、かつコンステレーション座標上での位相を補正するコンステレーション復号化／ＦＥＱ部３０、送信側でトーンオーダリングされた各キャリアに割り付けられているデータを元に戻すトーンデオーダリング部３１、受信データをビタビ復号するビタビ復号化部３２、送信側で並べかえられたデータを元に戻すデインターリーブ部３３、送信側で付加された冗長ビットを削除するリードソロモン復号化部３４から構成されている。ＲＡＭ３５は、プロセッサ２０のワークエリアであり、ハンドシェイク手順、イニシャライズ手順の実行時に使用される。トランシーバ１１は、ホストインターフェース（Ｉ／Ｆ）３６を介してホスト１２と接続される。
【００３４】
このような構成を有し、本実施の形態に係るＡＤＳＬモデム装置２は、交換局装置（ＡＴＵ-Ｃ）から送出される既知の信号に基づいて回線上のインパルス応答を算出し、当該インパルス応答のうち、予め定められたＣＰの長さ（以下、「ＣＰ長」という）を超える部分（以下、「ＣＰ長超越部分」という）が有するエネルギＥ１（以下、「ＣＰ長超越部分のエネルギＥ１」という）に応じてパイロットトーンに隣接するサブキャリアに付与する送信電力のオン／オフを切り替える。具体的には、エネルギＥ１の大きさに応じてパイロットトーンに隣接するサブキャリアのうち送信電力をオフする本数を増減させる。これにより、回線上のインパルス応答がパイロットトーンに与える影響の低減を図っている。本実施の形態に係るＡＤＳＬモデム装置２においては、ＣＰ長超越部分のエネルギＥ１が相対的に大きい場合に送信電力をオフするサブキャリアの本数を増加させ、小さい場合に送信電力をオフするサブキャリアの本数を減少させる。
【００３５】
なお、以下においては、イニシャライズ手順で交換局装置（ＡＴＵ-Ｃ）から既知の信号として送出されるＲＥＶＥＲＢ信号に基づいて回線上のインパルス応答の長さを算出する場合について説明する。しかし、既知の信号としては、このＲＥＶＥＲＢ信号に限定されるものではない。
【００３６】
回線上のインパルス応答の算出は、プロセッサ２０によりＦＦＴ部２９で受信したＲＥＶＥＲＢ信号を用いて行われる。その際、プロセッサ２０は、図２に示すように、既知のＲＥＶＥＲＢ信号をＩＦＦＴした信号であるＸ（ω）と、実際に回線を介して受信したＲＥＶＥＲＢ信号をＦＦＴした信号であるＹ（ω）とを用いて回線上のインパルス応答の算出を行う。
【００３７】
より具体的には、プロセッサ２０は、ＲＡＭ３５に格納されたＲＥＶＥＲＢ信号に対してＩＦＦＴ処理を施すことで得られるＸ（ω）を取得すると共に、ＦＦＴ部２９からＹ（ω）を受け取る。なお、ＲＥＶＥＲＢ信号は勧告に記載された既知の信号であるため、本実施の形態に係るＡＤＳＬモデム装置２においては、ＲＥＶＥＲＢ信号から算出されるＸ（ω）を、事前にＲＡＭ３５に格納している。そして、プロセッサ２０は、
Ｚ（ω）＝Ｙ（ω）／Ｘ（ω）
を計算し、インパルス応答をＩｍｐｕｌｓｅ（ｔ）として、
Ｉｍｐｕｌｓｅ（ｔ）＝ｉｎｖｅｒｓＦＦＴ（Ｚ（ω））
を計算する。このようにして、いわゆる回線上のインパルス応答（Ｉｍｐｕｌｓｅ（ｔ））を算出する。
【００３８】
回線上のインパルス応答（Ｉｍｐｕｌｓｅ（ｔ））を算出した後、プロセッサ２０は、そのインパルス応答のうち、ＣＰ長超越部分のエネルギＥ１を算出する。そして、そのＣＰ長超越部分のエネルギＥ１の大きさに応じてパイロットトーンに隣接するサブキャリアのうち送信電力をオフする本数を決定する。
【００３９】
以下、プロセッサ２０において、ＣＰ長超越部分のエネルギＥ１を算出し、算出したエネルギＥ１の大きさに応じて送信電力をオフするサブキャリアの本数を決定する処理について具体例を用いて説明する。
【００４０】
図３は、プロセッサ２０で算出されたインパルス応答（Ｉｍｐｕｌｓｅ（ｔ））の波形の一例を示す図である。同図においては、横軸に時間を示し、縦軸に振幅を示している。
【００４１】
同図においては、３種類の長さを有するインパルス応答（Ｉｍｐｕｌｓｅ（ｔ））の波形を示している。図３（ａ）〜図３（ｃ）に示す順に、インパルス応答（Ｉｍｐｕｌｓｅ（ｔ））の長さが短くなるインパルス応答（Ｉｍｐｕｌｓｅ（ｔ））の波形が示されている。なお、ＣＰ長は一般的に３２個分のサンプリングデータの長さに固定されているため、ＣＰ長超越部分の長さも図３（ａ）〜図３（ｃ）に示す順に短くなる。
【００４２】
プロセッサ２０は、ＣＰ長の後端である時点ｔ１から一定時間が経過した時点ｔ２のエネルギ量を求めることで、ＣＰ長超越部分のエネルギＥ１を算出する。具体的には、プロセッサ２０は、次式にしたがって時点ｔ１から時点ｔ２までの積分値を求めることで、ＣＰ長超越部分のエネルギＥ１を算出する。なお、ＣＰ長超越部分のエネルギＥ１を算出する際の計算式としては、次式以外の計算式を用いても算出してもよい。
【数１】
2006203455.tif 000003
【００４３】
このように本実施の形態においては、インパルス応答のうちＣＰ長の後端の時点ｔ１から一定時間経過した時点ｔ２までのエネルギ量を求めることでＣＰ長超越部分のエネルギＥ１が算出される。したがって、インパルス応答の一定範囲のエネルギ量を求めるだけでＣＰ長超越部分のエネルギＥ１を算出することができる。
【００４４】
そして、ＣＰ長超越部分のエネルギＥ１と、パイロットトーンの本体部分が有するエネルギＥ２（以下、「パイロットトーンのエネルギＥ２」という）とを比較し、その比較結果に応じて送信電力をオフするサブキャリアの本数を決定する。具体的には、ＣＰ長超越部分のエネルギＥ１が、パイロットトーンのエネルギＥ２と比べてどれぐらいエネルギ量が小さいかに応じて送信電力をオフするサブキャリアの本数を決定する。なお、パイロットトーンのエネルギＥ２は、ＣＰ長超越部分のエネルギＥ１と同様の要領で上述の（１）式にしたがって図３に示す時点ｔ１から一定時間が経過した時点ｔ３（不図示）までの積分値を求めることで算出される。
【００４５】
本実施の形態においては、ＣＰ長超越部分のエネルギＥ１と、パイロットトーンのエネルギＥ２とのエネルギ量の差異(以下、「エネルギ量の差異」という)が、Ａ．３５ｄＢ未満の場合、Ｂ．３５ｄＢ以上４０ｄＢ未満の場合、Ｃ．４０ｄＢ以上の場合に該当するか、並びに、Ｄ．ＣＰ長超越部分のエネルギＥ１が存在しないかに応じて送信電力をオフするサブキャリアの本数を決定する。具体的には、プロセッサ２０は、エネルギ量の差異が、上記Ａの範囲に属する場合に送信電力をオフするサブキャリアの本数を１０本に決定し、上記Ｂの範囲に属する場合に送信電力をオフするサブキャリアの本数を２本に決定し、上記Ｃの範囲に属する場合に送信電力をオフするサブキャリアの本数を１本に決定し、上記Ｄの場合に送信電力をオフするサブキャリアの本数を０本に決定する。
【００４６】
なお、送信電力をオフするサブキャリアの本数を決定する判断基準、並びに、送信電力をオフするサブキャリアの本数としては、上述の場合に限定されるものではなく、任意の値を設定することが可能である。
【００４７】
図３においては、図３（ａ）に示すエネルギ量の差異が上記Ａの範囲に属し、図３（ｂ）に示すエネルギ量の差異が上記Ｂの範囲に属し、図３（ｃ）に示すエネルギ量の差異が上記Ｃの範囲に属すものとする。したがって、プロセッサ２０は、図３（ａ）、図３（ｂ）及び図３（ｃ）に示すインパルス応答（Ｉｍｐｕｌｓｅ（ｔ））が算出されると、送信電力をオフするサブキャリアの本数をそれぞれ１０本、２本、１本に決定する。
【００４８】
ここで、ＣＰ長超越部分のエネルギＥ１がパイロットトーンに与える影響について説明する。各サブキャリアにおけるＣＰ長超越部分のエネルギＥ１は、周波数軸上において各サブキャリアが出すサイドローブとして現れる。このサイドローブは、隣接するサブキャリアにとってノイズを構成するものである。特に、パイロットトーンに隣接するサブキャリアが出すサイドローブは、パイロットトーンの検出を妨げる要因となる。
【００４９】
図４は、パイロットトーンに隣接するサブキャリアが出すサイドローブを説明するための図である。同図においては、横軸に周波数を示し、縦軸にエネルギ量を示している。また、横軸にサブキャリアの番号を示し、パイロットトーンとして６４番目のサブキャリア（以下、「サブキャリア＃６４」と略す）を使用する場合について示している。さらに、パイロットトーンに隣接するサブキャリア＃６３、＃６５が出すサイドローブのみについて示している。さらに、回線上のインパルス応答を算出するためのＲＥＶＥＲＢ信号を示し、ＲＥＶＥＲＢ信号においては各サブキャリアに対して５５ｄＢの送信電力を付与した場合について示している。したがって、パイロットトーンのエネルギ量Ｅ２もおよそ５５ｄＢを示すこととなる。
【００５０】
同図においては、ＣＰ長超越部分のエネルギＥ１に応じてエネルギ量の差異が上記Ｂの範囲に属する場合に＃６３、＃６５のサブキャリアが出すサイドローブを実線で示している。すなわち、パイロットトーンのエネルギ量Ｅ２（５５ｄＢ）に比べてＣＰ長超越部分のエネルギＥ１が３５ｄＢ以上４０ｄＢ未満の範囲で小さい場合について示している（同図ではおよそ２０ｄＢ）。また、ＣＰ長超越部分のエネルギＥ１に応じてエネルギ量の差異が上記Ｃの範囲に属する場合に＃６３、＃６５のサブキャリアが出すサイドローブを１点鎖線で示している。すなわち、パイロットトーンのエネルギ量Ｅ２（５５ｄＢ）に比べてＣＰ長超越部分のエネルギＥ１が４０ｄＢ以上の範囲で小さい場合について示している（同図ではおよそ１５ｄＢ）。
【００５１】
同図に示すように、サブキャリアが出すサイドローブは、当該サブキャリアから離れるに従って次第に減衰していく。パイロットトーンに最も大きな影響を与えるのは、隣接するサブキャリアである。このため、本実施の形態に係るＡＤＳＬモデム装置２は、パイロットトーンに隣接するサブキャリアに付与する送信電力をオフしてパイロットトーンに与える影響を低減する。そして、パイロットトーンへの影響が大きい場合には、送信電力をオフするサブキャリアの本数を増やして対応する。
【００５２】
図５は、本実施の形態に係るトランシーバ１１が有するＩＦＦＴ部２６及びＦＦＴ部２９の構成を示すブロック図である。
【００５３】
同図に示すように、ＩＦＦＴ部２６は、サブキャリアオン／オフ選択部４１を備えている。サブキャリアオン／オフ選択部４１は、プロセッサ２０の指示の下、パイロットトーンに隣接するサブキャリアに対する送信電力のオン／オフを選択する。本実施の形態において、サブキャリアオン／オフ選択部４１は、送信電力のオン／オフを選択するサブキャリアの本数を、０本、１本（合計２本）、２本（合計４本）、１０本（合計２０本）の間で選択する。
【００５４】
ＩＦＦＴ部２６は、サブキャリアオン／オフ選択部４１で選択されたサブキャリアの本数に応じて、コンステレーション符号化部２５でコンステレーション符号化されたデータに対してＩＦＦＴ処理を行う。そして、ＩＦＦＴ処理が行われたデータをＣＰ付加部２７に送出する。
【００５５】
一方、ＦＦＴ部２９は、サブキャリアオン／オフ選択部４２を備えている。サブキャリアオン／オフ選択部４２は、プロセッサ２０の指示の下、パイロットトーンに隣接するサブキャリアに対する送信電力のオン／オフを選択する。なお、プロセッサ２０からのＦＦＴ部２９への送信電力のオン／オフを選択するサブキャリアの本数の指示は、相手側ＡＤＳＬモデム装置からの通知に基づいて行われる。本実施の形態においては、サブキャリアオン／オフ選択部４２は、送信電力のオン／オフを選択するサブキャリアの本数を、０本、１本（合計２本）、２本（合計４本）、１０本（合計２０本）の間で選択する。
【００５６】
ＦＦＴ部２９は、サブキャリアオン／オフ選択部４２で選択されたポイント数に応じて、ＣＰ除去部２８でＣＰを除去されたデータに対してＦＦＴ処理を行う。そして、ＦＦＴ処理が行われたデータをコンステレーション復号化／ＦＥＱ部３０に送出する。
【００５７】
以下、本実施の形態に係るＡＤＳＬモデム装置２において、回線上のインパルス応答を算出し、そのインパルス応答のＣＰ長超越部分のエネルギＥ１の大きさに応じて送信電力をオフするサブキャリアの本数を決定してデータ通信を行う際の動作について説明する。
【００５８】
図６は、交換局装置（ＡＴＵ-Ｃ）側のＡＤＳＬモデム装置２Ａと家庭内の端末装置（ＡＴＵ−Ｒ）側のＡＤＳＬモデム装置２Ｂとが回線を介して接続された状態について示す図を示している。なお、同図においては、図１に示すアナログフィルタ１４やドライバ１５等の構成について省略している。また、交換局装置（ＡＴＵ-Ｃ）側のＡＤＳＬモデム装置２Ａにおいて受信側の構成及び送信側の構成の一部（２２〜２４）について簡略化している。さらに、家庭内の端末装置（ＡＴＵ−Ｒ）側のＡＤＳＬモデム装置２Ｂにおいて送信側の構成及び受信側の構成の一部（３１〜３３）について簡略化している。
【００５９】
図７は、家庭内の端末装置（ＡＴＵ−Ｒ）側のＡＤＳＬモデム装置２Ｂにおいて、回線上のインパルス応答のＣＰ長超越部分のエネルギＥ１の大きさに応じて送信電力をオフするサブキャリアの本数を決定してデータ通信を行う際の動作について説明するためのフロー図である。また、図８は、交換局装置（ＡＴＵ-Ｃ）側のＡＤＳＬモデム装置２Ａにおいて、回線上のインパルス応答のＣＰ長超越部分のエネルギＥ１の大きさに応じて送信電力をオフするサブキャリアの本数を決定してデータ通信を行う際の動作について説明するためのフロー図である。
【００６０】
回線上のインパルス応答のＣＰ長超越部分のエネルギＥ１の大きさに応じて送信電力をオフするサブキャリアの本数を決定してデータ通信を行う際、まず、ＡＤＳＬモデム装置２Ｂのプロセッサ２０は、図７に示すように、相手側ＡＤＳＬモデム装置２ＡからのＲＥＶＥＲＢ信号の受信を監視する（ＳＴ７０１）。
【００６１】
そして、ＲＥＶＥＲＢ信号の受信を確認したならば、プロセッサ２０は、ＲＡＭ３５より既知のＲＥＶＥＲＢ信号にＩＦＦＴ処理を施すことで得られるＸ（ω）を取得する（ＳＴ７０２）。その後、受信したＲＥＶＥＲＢ信号に対してＦＦＴ処理を施すことで得られるＹ（ω）をＦＦＴ部２９から取得する（ＳＴ７０３）。
【００６２】
次に、Ｘ（ω）とＹ（ω）とを用いて回線上のインパルス応答（Ｉｍｐｕｌｓｅ（ｔ））を算出する（ＳＴ７０４）。具体的には、
Ｚ（ω）＝Ｙ（ω）／Ｘ（ω）
を計算した後、
Ｉｍｐｕｌｓｅ（ｔ）＝ｉｎｖｅｒｓＦＦＴ（Ｚ（ω））
を計算することでインパルス応答（Ｉｍｐｕｌｓｅ（ｔ））を算出する。
【００６３】
インパルス応答を算出した後、プロセッサ２０は、インパルス応答のうち、ＣＰ長超越部分のエネルギＥ１を算出する（ＳＴ７０５）。具体的には、プロセッサ２０は、図３に示すＣＰ長の後端に対応する時点ｔ１から時点ｔ２までの積分値を求めることで、ＣＰ長超越部分のエネルギＥ１を算出する。
【００６４】
ＣＰ長超越部分のエネルギＥ１を算出したならば、プロセッサ２０は、ＣＰ長超越部分のエネルギＥ１が実際に存在するか判断する（ＳＴ７０６）。ここで、ＣＰ長超越部分のエネルギＥ１が存在しない場合には、送信電力をオフするサブキャリアがないことを通知し（ＳＴ７０７）、交換局装置（ＡＴＵ-Ｃ）側のＡＤＳＬモデム装置２Ａとの間でイニシャライズ（Initialize）の受信、ショータイム（Showtime）の受信を行う（ＳＴ７０８、ＳＴ７０９）。そして、ショータイムにおいて交換局装置（ＡＴＵ-Ｃ）側のＡＤＳＬモデム装置２Ａから全てのデータを受信したならば、処理を終了する。
【００６５】
一方、ＣＰ長超越部分のエネルギＥ１が実際に存在する場合には、そのＣＰ長超越部分のエネルギＥ１と、パイロットトーンのエネルギＥ２とを比較する。具体的には、まず、ＣＰ長超越部分のエネルギＥ１が、パイロットトーンのエネルギＥ２より４０ｄＢ以上小さいか判断する（ＳＴ７１０）。そして、４０ｄＢ以上小さくない場合にはＣＰ長超越部分のエネルギＥ１が、パイロットトーンのエネルギＥ２より３５ｄＢ以上小さいか判断する（ＳＴ７１１）。
【００６６】
ここで、ＣＰ長超越部分のエネルギＥ１が、パイロットトーンのエネルギＥ２より４０ｄＢ以上小さかった場合には、プロセッサ２０は、交換局装置（ＡＴＵ-Ｃ）側のＡＤＳＬモデム装置２Ａに対して、パイロットトーンに隣接するサブキャリアの１本（合計２本）について送信電力をオフする旨を通知する（ＳＴ７１２）。これと同時に、ＦＦＴ部２９のサブキャリアオン／オフ選択部４２に対して、送信電力をオフするサブキャリアを１本とする旨を指示する。
【００６７】
一方、ＣＰ長超越部分のエネルギＥ１が、パイロットトーンのエネルギＥ２より３５ｄＢ以上小さかった場合には、プロセッサ２０は、交換局装置（ＡＴＵ-Ｃ）側のＡＤＳＬモデム装置２Ａに対して、パイロットトーンに隣接するサブキャリアの２本（合計４本）について送信電力をオフする旨を通知する（ＳＴ７１３）。これと同時に、ＦＦＴ部２９のサブキャリアオン／オフ選択部４２に対して、送信電力をオフするサブキャリアを２本とする旨を指示する。
【００６８】
これに対して、ＣＰ長超越部分のエネルギＥ１が、パイロットトーンのエネルギＥ２より３５ｄＢ以上小さくなかった場合には、プロセッサ２０は、交換局装置（ＡＴＵ-Ｃ）側のＡＤＳＬモデム装置２Ａに対して、パイロットトーンに隣接するサブキャリアの１０本（合計２０本）について送信電力をオフする旨を通知する（ＳＴ７１４）。これと同時に、ＦＦＴ部２９のサブキャリアオン／オフ選択部４２に対して、送信電力をオフするサブキャリアを１０本とする旨を指示する。
【００６９】
ＳＴ７１２〜ＳＴ７１４において送信電力をオフするサブキャリアの本数を通知した後、これに従って交換局装置（ＡＴＵ-Ｃ）側のＡＤＳＬモデム装置２Ａがイニシャライズ（Initialize）の送信、ショータイム（Showtime）の送信を行ってくるので、これらの受信を行う（ＳＴ７０８、ＳＴ７０９）。そして、ショータイムにおいて交換局装置（ＡＴＵ-Ｃ）側のＡＤＳＬモデム装置２Ａから全てのデータを受信したならば、処理を終了する。このようにして家庭内の端末装置（ＡＴＵ−Ｒ）側のＡＤＳＬモデム装置２Ｂにおいて、回線上のインパルス応答のＣＰ長超越部分のエネルギＥ１の大きさに応じて送信電力をオフするサブキャリアの本数を決定してデータ通信が行われる。
【００７０】
このように本実施の形態に係るＡＤＳＬモデム装置２Ｂによれば、回線上のインパルス応答のＣＰ長超越部分のエネルギＥ１の大きさに応じて送信電力をオフするサブキャリアの本数を決定して相手側ＡＤＳＬモデム装置２Ａとの間のデータ通信を行う。このため、回線上のインパルス応答の長さに応じてパイロットトーンに隣接するサブキャリアの送信電力がオフされるので、回線上のインパルス応答がパイロットトーンに与える影響を低減し、データ通信を確実に行うことができる。
【００７１】
また、本実施の形態に係るＡＤＳＬモデム装置２Ｂにおいては、ＣＰ長超越部分のエネルギＥ１と、パイロットトーンのエネルギＥ２との比較結果に基づいて送信電力をオフするサブキャリアの本数が決定される。このため、ＣＰ長超越部分のエネルギＥ１と、パイロットトーンのエネルギＥ２との関係に応じて送信電力をオフするサブキャリアの本数を決定することができる。
【００７２】
特に、本実施の形態に係るＡＤＳＬモデム装置２Ｂにおいては、ＣＰ長超越部分のエネルギＥ１が、パイロットトーンのエネルギＥ２の一定値よりも大きい場合に送信電力をオフするサブキャリアの本数を増加させる一方、パイロットトーンのエネルギＥ２の一定値よりも小さい場合に送信電力をオフするサブキャリアの本数を減少させる。このため、ＣＰ長超越部分のエネルギＥ１に対応させて送信電力をオフするサブキャリアの本数を適切に増減することができる。
【００７３】
また、本実施の形態に係るＡＤＳＬモデム装置２Ｂにおいては、既知の信号としてイニシャライズ手順で用いられるＲＥＶＥＲＢ信号を用いるので、イニシャライズ手順で繰り返し交換されるＲＥＶＥＲＢ信号を用いて、インパルス応答のＣＰ長超越部分のエネルギＥ１に応じて送信電力をオフするサブキャリアの本数を決定することができる。
【００７４】
一方、回線上のインパルス応答のＣＰ長超越部分のエネルギＥ１の大きさに応じて送信電力をオフするサブキャリアの本数を決定してデータ通信を行う際、ＡＤＳＬモデム装置２Ａのプロセッサ２０は、図８に示すように、まず、相手側ＡＤＳＬモデム装置２Ｂに対してＲＥＶＥＲＢ信号を送信する（ＳＴ８０１）。
【００７５】
ＲＥＶＥＲＢ信号を送信した後、プロセッサ２０は、相手側ＡＤＳＬモデム装置２Ｂからの送信電力をオフするサブキャリアがあるか否か、ある場合にはその本数の通知を監視する。具体的には、まず、プロセッサ２０は、相手側ＡＤＳＬモデム装置２Ｂからの送信電力をオフするサブキャリアがない旨の通知を受けるか監視する（ＳＴ８０２）。ここで、相手側ＡＤＳＬモデム装置２Ｂから送信電力をオフするサブキャリアがない旨の通知を確認したならば、プロセッサ２０は、ＩＦＦＴ部２６のサブキャリアオン／オフ選択部４１に指示して、送信電力をオフするサブキャリアを０本に設定する（ＳＴ８０３）。その後、プロセッサ２０は、設定したサブキャリア（全てのサブキャリア）を用いて相手側ＡＤＳＬモデム装置２Ｂに対してイニシャライズ（Initialize）の送信、ショータイム（Showtime）の送信を行う（ＳＴ８０４、ＳＴ８０５）。
【００７６】
なお、相手側ＡＤＳＬモデム装置２Ｂからの送信電力をオフするサブキャリアがない旨の通知を受けない場合には、送信電力をオフするサブキャリアが１本である旨の通知、２本である旨の通知、１０本である旨の通知を監視する（ＳＴ８０６、ＳＴ８０７、ＳＴ８０８）。各通知を確認したならば、プロセッサ２０は、ＩＦＦＴ部２６のサブキャリアオン／オフ選択部４１に指示して、各通知に応じて送信電力をオフするサブキャリアの本数を、それぞれ１本、２本、１０本に設定する（ＳＴ８０９、ＳＴ８１０、ＳＴ８１１）。その後、プロセッサ２０は、設定したサブキャリアを用いて相手側ＡＤＳＬモデム装置２Ｂに対してイニシャライズ（Initialize）の送信、ショータイム（Showtime）の送信を行う（ＳＴ８０４、ＳＴ８０５）。そして、ショータイムにおいて相手側ＡＤＳＬモデム装置２Ｂに対して全てのデータを送信したならば、処理を終了する。このようにして交換局装置（ＡＴＵ-Ｃ）側のＡＤＳＬモデム装置２Ａにおいて、回線上のインパルス応答のＣＰ長超越部分のエネルギＥ１の大きさに応じて送信電力をオフするサブキャリアの本数を決定してデータ通信が行われる。
【００７７】
このように本実施の形態に係るＡＤＳＬモデム装置２Ａによれば、相手側ＡＤＳＬモデム装置２Ｂから通知された、回線上のインパルス応答のＣＰ長超越部分のエネルギＥ１の大きさに応じて送信電力をオフするサブキャリアの本数を決定して相手側ＡＤＳＬモデム装置２Ｂとの間のデータ通信を行う。このため、回線上のインパルス応答の長さに応じてパイロットトーンに隣接するサブキャリアのうち、送信電力をオフするサブキャリアが決定されるので、回線上のインパルス応答がパイロットトーンに与える影響を低減し、データ通信を確実に行うことができる。
【００７８】
なお、以上の説明においては、インパルス応答（Ｉｍｐｕｌｓｅ（ｔ））を算出する際に、既知のＲＥＶＥＲＢ信号から算出されるＸ（ω）並びに実際に回線を介して受信したＲＥＶＥＲＢ信号から算出されるＹ（ω）を用いている。しかし、インパルス応答（Ｉｍｐｕｌｓｅ（ｔ））の算出にあたってはこのＲＥＶＥＲＢ信号に限定されるものではない。すなわち、交換局装置（ＡＴＵ−Ｃ）と家庭内に設置された端末装置（ＡＴＵ−Ｒ）との間で共に認識している信号であればいかなる信号を用いてもよい。
【００７９】
また、以上の説明においては、ＡＤＳＬモデム装置を例に説明しているが、他のタイプのＤＳＬに適用されるｘＤＳＬモデムにも同様に適用することが可能である。
【産業上の利用可能性】
【００８０】
本発明に係るＡＤＳＬモデム装置及び通信制御方法によれば、回線上のインパルス応答がパイロットトーンに与える影響を低減し、データ通信を確実に行うことができ、より利用性に優れたＡＤＳＬサービスを提供できる点で有用である。
【図面の簡単な説明】
【００８１】
【図１】本発明の一実施の形態に係るＡＤＳＬモデム装置が適用される家庭内などに設置された端末装置側の通信システムの概略構成を示す図
【図２】上記通信システムのトランシーバの機能ブロック図
【図３】上記トランシーバのプロセッサで算出されたインパルス応答の波形の一例を示す図
【図４】パイロットトーンに隣接するサブキャリアが出すサイドローブを説明するための図
【図５】上記トランシーバが有するＩＦＦＴ部及びＦＦＴ部の構成を示すブロック図
【図６】上記実施の形態に係る交換局装置側のＡＤＳＬモデム装置と家庭内の端末装置側のＡＤＳＬモデム装置とが回線を介して接続された状態について示す図
【図７】上記実施の形態に係る家庭内の端末装置側のＡＤＳＬモデム装置において、回線上のインパルス応答のＣＰ長超越部分のエネルギＥ１の大きさに応じて送信電力をオフするサブキャリアの本数を決定してデータ通信を行う際の動作について説明するためのフロー図
【図８】上記実施の形態に係る交換局装置側のＡＤＳＬモデム装置において、回線上のインパルス応答のＣＰ長超越部分のエネルギＥ１の大きさに応じて送信電力をオフするサブキャリアの本数を決定してデータ通信を行う際の動作について説明するためのフロー図
【符号の説明】
【００８２】
１  スプリッタ
２  ＡＤＳＬモデム装置
３  ユーザ端末
４  電話機
１１  トランシーバ
１２  ホスト
１３  ＡＦＥ
１４  アナログフィルタ
１５  ドライバ
１６  ハイブリッド
１７  レシーバ
１８  アナログフィルタ
２０  プロセッサ
２１  リードソロモン符号化部
２２  インターリーブ部
２３  トレリス符号化部
２４  トーンオーダリング部
２５  コンステレーション符号化部
２６  ＩＦＦＴ部
２７  ＣＰ付加部
２８  ＣＰ除去部
２９  ＦＦＴ部
３０  コンステレーション復号化／ＦＥＱ部
３１  トーンデオーダリング部
３２  ビタビ復号化部
３３  デインターリーブ部
３４  リードソロモン復号化部
３５  ＲＡＭ
３６  ホストＩ/Ｆ
４１、４２  サブキャリアオン／オフ選択部
【図１】
2006203455.tif 000004
【図２】
2006203455.tif 000005
【図３】
2006203455.tif 000006
【図４】
2006203455.tif 000007
【図５】
2006203455.tif 000008
【図６】
2006203455.tif 000009
【図７】
2006203455.tif 000010
【図８】
2006203455.tif 000011